(57)【要約】【課題】  プログラマブル表示器におけるメンテナンス方法に関し、表示器の状態をユーザに負担をかけることなく容易にメンテナンスすることである。【解決手段】  表示装置２０ｃと、表示データを記憶しているメモリ２０ｂと、表示プログラムを記憶している表示プログラム記憶手段メモリ２０ｂと、表示プログラムを実行し表示データに基づく制御画面を表示装置２０ｃに表示するＣＰＵ２０ａとを備え、表示器はメンテナンスデータが格納されている記録媒体７０が装着されたとき、ＣＰＵ２０ａにより記録媒体７０に格納されているメンテナンスデータを読み込み、表示プログラムを実行し読み込んだメンテナンスデータに基づく制御画面を表示装置２０ｃに表示する。【選択図】  図１
2006318361.tif 000002
【特許請求の範囲】
【請求項１】
表示手段と、表示データを記憶している表示データ記憶手段と、表示プログラムを記憶している表示プログラム記憶手段と、前記表示プログラムを実行し前記表示データに基づく制御画面を前記表示手段に表示する制御手段とを備えたプログラマブル表示器のメンテナンス方法において、
前記表示器はメンテナンスデータが格納されている記録媒体が装着されたとき、前記制御手段により前記記録媒体に格納されている前記メンテナンスデータを読み込み、前記表示プログラムを実行し前記読み込んだメンテナンスデータに基づく制御画面を前記表示手段に表示する、ことを特徴とするプログラマブル表示器のメンテナンス方法。
【請求項２】
表示手段と、表示データを記憶している表示データ記憶手段と、表示プログラムを記憶している表示プログラム記憶手段と、前記表示プログラムを実行し前記表示データに基づく制御画面を前記表示手段に表示する制御手段とを備えたプログラマブル表示器のメンテナンス方法において、
前記表示器はメンテナンスプログラムが格納されている記録媒体が装着されたとき、前記制御手段により前記記録媒体に格納されている前記メンテナンスプログラムを読み込み、この読み込んだメンテナンスプログラムを実行し前記表示データに基づく制御画面を前記表示手段に表示する、ことを特徴とするプログラマブル表示器のメンテナンス方法。
【発明の詳細な説明】
【技術分野】
【０００１】
本発明は、プログラマブルロジックコントローラ（通称、ＰＬＣ）を通じて入力される制御対象の状態を画面上に表示したり、画面に表示している表示部品を操作してＰＬＣに制御対象の状態を制御指示するプログラマブル表示器におけるメンテナンス方法に関するものである。
【背景技術】
【０００２】
ホストコンピュータに対して共通ネットワークを介して複数のプログラマブル表示器（以降、表示器と称する）が共通に接続され、各表示器それぞれに専用ネットワークを介してＰＬＣが接続され、各ＰＬＣにターゲットシステム内の外部機器が接続されてなる制御システムがある。表示器は、ＰＬＣを通じて入力される制御対象の状況を表示手段に表示したり、表示手段に表示している表示部品を操作してＰＬＣを通じて制御対象を操作制御することができるようになっている。この表示器においては、表示手段に加え、表示データを記憶している表示データ記憶手段と、表示プログラムを記憶している表示プログラム記憶手段と、表示プログラムを実行し表示データに基づく制御画面を表示手段に表示する制御手段とを備えている。
【０００３】
制御画面には、外部機器の状況表示や外部機器の操作制御を行うための表示部品が配置されている。この表示部品は、例えば外部機器である操作盤、センサ、スイッチ、アクチュエータ、メータ、表示灯等に対応したメータ表示部品、グラフ表示部品、スイッチ表示部品、その他の表示部品である。制御画面に配置される表示部品の種類ならびに各表示部品のサイズ、色、形状、配置位置（レイアウト）等を含めて表示データとなる。そして、表示プログラムを実行し、表示データに基づく制御画面を表示手段に表示し、マウス等の入力装置の操作やＰＬＣを通じた外部機器のデータやホストコンピュータからのデータ等に従い動作するようになっている。
【０００４】
このような表示データや、表示データに基づく制御画面作成用の表示プログラムは、ホストコンピュータから表示器に転送されて該表示器に記憶されるものであり、これらに不具合があると表示器は所要の表示動作を行うことができなくなるので、表示器の状態をメンテナンスすることは極めて重要である一方で、このメンテナンスはユーザに過大な負担をかけている。
【特許文献１】特開２００２−３５１５１０号公報
【発明の開示】
【発明が解決しようとする課題】
【０００５】
本発明により解決すべき課題は、表示器の状態をユーザに負担をかけることなく容易にメンテナンスすることである。
【課題を解決するための手段】
【０００６】
本発明のプログラマブル表示器のメンテナンス方法は、表示手段と、表示データを記憶している表示データ記憶手段と、表示プログラムを記憶している表示プログラム記憶手段と、前記表示プログラムを実行し前記表示データに基づく制御画面を前記表示手段に表示する制御手段とを備え、前記表示器はメンテナンスデータが格納されている記録媒体が装着されたとき、前記制御手段により前記記録媒体に格納されている前記メンテナンスデータを読み込み、前記表示プログラムを実行し前記読み込んだメンテナンスデータに基づく制御画面を前記表示手段に表示することを特徴とする。
【０００７】
本発明のプログラマブル表示器のメンテナンス方法は、表示手段と、表示データを記憶している表示データ記憶手段と、表示プログラムを記憶している表示プログラム記憶手段と、前記表示プログラムを実行し前記表示データに基づく制御画面を前記表示手段に表示する制御手段とを備え、前記表示器はメンテナンスプログラムが格納されている記録媒体が装着されたとき、前記制御手段により前記記録媒体に格納されている前記メンテナンスプログラムを読み込み、この読み込んだメンテナンスプログラムを実行し前記表示データに基づく制御画面を前記表示手段に表示することを特徴とする。
【発明の効果】
【０００８】
本発明のプログラマブル表示器のメンテナンス方法によれば、表示器の状態をユーザに負担をかけることなく容易にメンテナンスすることができる。
【発明を実施するための最良の形態】
【０００９】
以下、添付した図面を参照して本発明の実施の形態に係るプログラマブル表示器のメンテナンス方法を詳細に説明する。図１はプログラマブル表示器を含む制御システム全体の構成を示す。図１において、１０は外部ＰＣ、２０はプログラマブル表示器、３０はＰＬＣ、４０は外部機器である。外部ＰＣ１０と複数の表示器２０とは共通の通信プロトコルで通信が可能な共通ネットワーク５０を介して互いに接続され、複数の表示器２０と複数のＰＬＣ３０それぞれは固有の通信プロトコルで通信が可能な専用ネットワーク６０で個々に接続されている。共通ネットワーク５０はＬＡＮ（ローカル・エリア・ネットワーク）が用いられており、共通ネットワーク５０での通信プロトコルとしてＴＣＰ／ＩＰを採用することができる。なお、共通ネットワーク５０には他の電子機器、例えば、マウス、キーボード、スピーカ、バーコードリーダ、等を接続することができる。
【００１０】
外部ＰＣ１０は、ホストコンピュータとして、一般の汎用パーソナルコンピュータと同様に、ＰＣ本体１０ａ、キーボード１０ｂ、マウス１０ｃ、ディスプレイ１０ｄを備え、インストールされた作画ツール等の内蔵ソフトにより、表示器２０の制御画面を作成することができるようになっている。
【００１１】
ＰＣ本体１０ａは、ＣＰＵ１０ａ１、メモリ１０ａ２、外部記憶装置１０ａ３、およびインターフェース（Ｉ／Ｆ）１０ａ４，１０ａ５を備える。
【００１２】
ＰＣ本体１０ａは、インターフェース１０ａ４を介してキーボード１０ｂ、マウス１０ｃ、ディスプレイ１０ｄが接続されており、また、インターフェース１０ａ５を介して共通ネットワーク５０に接続されて、制御画面の表示データを表示器２０に転送することができるようになっている。ディスプレイ１０ｄは各種データや情報を表示したりする一方、作画ツールにより画面上に作画領域が表示され、この作画領域上に制御画面の作成作業が行われる。
【００１３】
表示器２０は、演算処理であるＣＰＵ２０ａ、ＲＡＭ、ＲＯＭ、フラッシュＲＯＭ、ＶＲＡＭなどのメモリ２０ｂ、表示装置２０ｃ、入力装置２０ｄ、インターフェース（Ｉ／Ｆ）２０ｅ，２０ｆ，２０ｇ，２０ｈ、スロット２０ｉ，２０ｊにて構成されている。表示器２０は、ＣＰＵ２０ａにおいて制御画面の表示制御、プロトコル変換およびデータ配信の処理を行うために各種のデータ処理を行うことができる。表示器２０は、表示プログラム記憶手段となるメモリ２０ｂに格納されている表示プログラムを実行し、外部ＰＣ１０の作画ツールで作成され表示データ記憶手段となるメモリ２０ｂに格納されている表示データに基づいて表示装置２０ｃの画面上に制御画面を描画させることができる。制御画面には、ＨＭＩ（Human Machine Interface）表示部品やタグが画像ブロックとして合成されている。制御画面においては、ＨＭＩ表示部品やタグが入出力用外部機器４０の動作に応じて動くようになっており、入力用および出力用の外部機器４０の動作状況が視覚化されている。
【００１４】
表示器２０は、共通ネットワーク５０から送信される外部ＰＣ１０の表示データに含まれる送信先のＩＰアドレスを解析し、そのＩＰアドレスが自己のものであれば外部ＰＣ１０からのデータに含まれるコマンドを読み取り、表示データに対応して必要な表示動作を行うことができる。
【００１５】
ＰＬＣ３０は、制御シーケンスにしたがって、入力用外部機器４０から入力される信号に基づいて出力用外部機器４０に与える制御データの演算処理を行う。入力用外部機器４０としては、センサ（温度センサ、光センサなど）、スイッチ（押ボタンスイッチ、リミットスイッチ、圧力スイッチなど）のような機器が用いられる。出力用外部機器４０としては、アクチュエータ、リレー、電磁弁、などが用いられる。これらの入力用外部機器４０および出力用外部機器４０は、製造ラインなどの所要各部に配置される。
【００１６】
図２は、表示器２０およびＵＳＢメモリやメモリカード等の記録媒体７０，７１を示している。記録媒体７０，７１は、それぞれ表示器２０のスロット２０ｉ，２０ｊのいずれかに装着される。記録媒体７０には、制御画面に表示部品を描画するためのデータである表示データと同一形式のメンテナンス用のメンテナンスデータが格納されている。記録媒体７１には、表示データを実行する表示プログラムと同一形式のメンテナンスプログラムが格納されている。
【００１７】
図３は、メンテナンスのフローチャートを示している。
【００１８】
まず、ステップ８１にて、いずれかのスロット２０ｉ，２０ｊに記録媒体７０，７１が装着されているかを判断する。いずれのスロット２０ｉ，２０ｊにも記録媒体７０，７１が装着されていない場合、メモリ２０ｂに記憶されている既存の表示プログラムを実行し、同じくメモリ２０ｂに記憶されている既存の表示データに基づく制御画面を表示装置２０ｃに表示する（ステップ８２）。
【００１９】
ステップ８１にて、いずれかのスロット２０ｉ，２０ｊに記録媒体７０，７１が装着されていると判断した場合、メンテナンスデータが格納されている記録媒体７０が装着されているかを判断する（ステップ８３）。メンテナンスデータが格納されている記録媒体７０が装着されていると判断した場合、メモリ２０ｂに記憶されている既存の表示プログラムを実行し、記録媒体７０から読み込んだメンテナンスデータに基づく制御画面を表示装置２０ｃに表示する（ステップ８４）。
【００２０】
ステップ８３にて、メンテナンスデータが格納されている記録媒体７０が装着されていないと判断した場合、メンテナンスプログラムが格納されている記録媒体７１が装着されていると判断し、記録媒体７１からメンテナンスプログラムを読み込んで実行し、既存の表示データに基づく制御画面を表示装置２０ｃに表示する（ステップ８５）。
【００２１】
このように、メンテナンスデータが格納されている記録媒体７０が装着されることで、既存の表示プログラムが実行されて、メンテナンスデータに基づく制御画面が表示され、ユーザは制御画面にメンテナンスデータに基づく制御画面が正しく表示されているかを確認することで、表示器の状態を容易にメンテナンスすることができる。また、メンテナンスプログラムが格納されている記録媒体７１が装着されることで、メンテナンスプログラムが実行されて、既存の表示データに基づく制御画面が表示され、ユーザは制御画面にメンテナンスプログラムの実行による制御画面が正しく表示されているかを確認することで、表示器の状態を容易にメンテナンスすることができる。
【００２２】
本発明は、上述した実施の形態に限定されるものではなく、特許請求の範囲に記載した範囲内で、種々な変更ないしは変形を含むものである。
【図面の簡単な説明】
【００２３】
【図１】本発明の実施の形態における制御システムの構成図である。
【図２】本発明の実施の形態における表示器と記録媒体の構成図である。
【図３】本発明の実施の形態におけるメンテナンスのフローチャートである。
【符号の説明】
【００２４】
１０  外部ＰＣ（ホストコンピュータ）
２０  プログラマブル表示器
２０ａ  ＣＰＵ（制御手段）
２０ｂ  メモリ（記憶手段）
２０ｃ  表示装置（表示手段）
３０  ＰＬＣ
４０  外部機器
５０  共通ネットワーク
６０  専用ネットワーク
７０，７１  記録媒体
【図１】
2006318361.tif 000003
【図２】
2006318361.tif 000004
【図３】
2006318361.tif 000005